(57)【特許請求の範囲】
【請求項１】
スライド移動によって格納部内に格納された格納状態と、その格納部の外部に位置する使用状態とに配置される複数のトレイを重合した収納装置において、
前記トレイの間には、隣り合う一方のトレイが所定量移動するまでは係合状態を維持するとともに、前記一方のトレイが所定量移動した後は、その係合が解除されて、隣り合う他方のトレイのみの移動を許容する係脱手段を設け、
最上部トレイの上方に、飲み物用容器の周囲を保持する保持部を設け、
前記最上部トレイを格納位置において解除可能にロックするための第１ロック手段と、最上部トレイのロック状態においてその下方に位置するトレイをロックするための第２ロック手段とを備え、
前記第１ロック手段が最上部トレイと格納部との間に設けられ、第２ロック手段が前記保持部と最上部トレイの下方のトレイとの間に設けられ、保持部が上方に移動することにより、第２ロック手段によるロックが解除される
ことを特徴とする収納装置。
【請求項２】
請求項１に記載の収納装置において、
前記保持部は、最上部トレイの格納状態では最上部トレイ上に重合され、最上部トレイが格納状態から前記使用状態に切替え配置される際には、前記最上部トレイの移動に連動して、同最上部トレイの底面から所定距離だけ上方に離間するように移動する
ことを特徴とする収納装置。
【請求項３】
請求項１または２に記載の収納装置において、
第２ロック手段は、前記保持部に形成された係合突起を備え、その係合突起が最上部トレイの透孔を介して最上部トレイの下方のトレイの一部に係合することによりそのトレイがロックされる
ことを特徴とする収納装置。
【請求項４】
請求項１〜３のいずれか一項に記載の収納装置において、
前記保持部における開口部の間隔を、同開口部に挿入された飲み物用容器の外径に応じて調節する間隔調節機構を設けた
ことを特徴とする収納装置。
【請求項５】
請求項４に記載の収納装置において、
前記間隔調節機構と対向するように設けられ、格納状態から使用状態に切替え配置される際には、前記最上部トレイの移動に連動して引き起こされるとともに、前記保持部と前記最上部トレイの底面との間に配置され、前記保持部により保持された飲み物用容器の外面に当接する補助支持部を備える
ことを特徴とする収納装置。
【請求項６】
請求項１〜５のいずれか一項に記載の収納装置において、
前記トレイのうち、最下部に配設される最下部トレイは、格納状態で外部に表出する側面に、前記格納状態から前記使用状態に切替え配置される際に操作者の指または棒状体が引掛けられる引掛部を有し、前記保持部には、前記引掛部の少なくとも一部と対応する位置に凹部を有する
ことを特徴とする収納装置。
【請求項７】
請求項６に記載の収納装置において、
前記最下部トレイと異なるトレイには、前記引掛部と対応する位置に切欠部を有する
ことを特徴とする収納装置。
【請求項８】
請求項１〜７のいずれか一項に記載の収納装置において、
前記格納状態では、前記トレイのうち、最上部に配設される最上部トレイまたは最下部に配設される最下部トレイの前壁面のみが外部に表出する
ことを特徴とする収納装置。
【請求項９】
請求項１〜８のいずれか一項に記載の収納装置において、
前記トレイの表出する部分を一旦格納部側へ押し込むことにより、そのトレイの格納状態を解除するプッシュオープン機構を備える
ことを特徴とする収納装置。
【請求項１０】
請求項１〜９のいずれか一項に記載の収納装置において、
前記係脱手段は、隣り合う各トレイの対向面上に対をなすように設けられ、凹凸嵌合により、前記隣り合うトレイを連動させる凹部と凸部とからなる
ことを特徴とする収納装置。
【発明の詳細な説明】
【０００１】
【発明の属する技術分野】
本発明は、使用状態と格納状態とを切替え配置可能なトレイを備える収納装置に関するものである。
【０００２】
【従来の技術】
従来、この種の収納装置としては、例えば、実開昭６４−４０７３９号公報や実開平３−９１２４４号公報により開示されるものが知られている。
【０００３】
図１４に示すように、前者の公報に開示される収納装置１００（第１従来構成）は、トレイ部１０１と、ホルダ部１０２と、これらトレイ部１０１とホルダ部１０２とを格納するコンソールボックス１０３とを備えている。トレイ部１０１及びホルダ部１０２は、コンソールボックス１０３に対して、図１４中の矢印Ａ方向及びその逆方向にそれぞれ出没可能となっている。
【０００４】
トレイ部１０１は、その下面の左右方向の両側部１０１ａに沿って形成されたガイド溝１０４を有している。このガイド溝１０４に、ホルダ部１０２の左右方向の側部１０２ａが係入され、ホルダ部１０２がトレイ部１０１に対して摺動可能となっている。
【０００５】
ホルダ部１０２は、カップや缶等を挿入するための挿通孔１０５を有している。同ホルダ部１０２は、その前記矢印Ａ方向の長さがトレイ部１０１よりも大きく形成されている。そして、トレイ部１０１及びホルダ部１０２の使用時には、ホルダ部１０２の挿通孔１０５が、トレイ部１０１から表出するようになっている。
【０００６】
また、図１５に示すように、後者の公報に開示される収納装置１１０（第２従来構成）は、ホルダ部１１１と、同ホルダ部１１１の下方に配置される受け部１１２と、これらホルダ部１１１と受け部１１２とを格納する格納部１１３とを備えている。ホルダ部１１１及び受け部１１２は、格納部１１３に対して、図１５中の矢印Ｂ方向及びその逆方向にそれぞれ出没可能となっている。
【０００７】
ホルダ部１１１は、カップや缶等を挿入するための挿通孔１１４を有している。また、ホルダ部１１１は、その前記矢印Ｂ方向の側面における内面側に、下方に向かって突出する係合部１１５を有している。受け部１１２は、その上面に開口を有する箱状に形成されている。また、受け部１１２は、その底面１１６から上方に向かって突出するとともに、受け部１１２の内部を前記矢印Ｂ方向において２分する中間壁１１７を有している。前記係合部１１５は、この中間壁１１７及び受け部１１２の前壁１１８と係合するようになっている。
【０００８】
この収納装置１１０では、ホルダ部１１１を引き出すと、その係合部１１５と前記受け部１１２の前壁１１８とが係合して、ホルダ部１１１と受け部１１２とが重合された状態で移動する。この状態で、ホルダ部１１１をその挿通孔１１４が表出するまで移動させることで、カップや缶等を載置することができるようになる。この場合、受け部１１２の前壁１１８側の空間１１９が、カップや缶等の保持部となる。
【０００９】
また、ホルダ部１１１をその挿通孔１１４が表出するまで移動させた後に、さらに受け部１１２のみを引き出すと、前記係合部１１５と前記中間壁１１７とが係合する。これにより、受け部１１２の前壁１１８側の空間１１９の上方が開放され、その空間１１９を小物等の収容部として使用することもできる。この場合、受け部１１２の格納部１１３側の空間１２０がカップや缶等の保持部となる。
【００１０】
【発明が解決しようとする課題】
ところが、前記従来の収納装置においては、それぞれ以下のような問題が生じていた。
【００１１】
すなわち、第１従来構成の収納装置１００では、トレイ部１０１とホルダ部１０２とは、図１４中の矢印Ａ方向の動きが連動していなかった。このため、格納状態にあるトレイ部１０１及びホルダ部１０２を使用状態に切替え操作する際、それらトレイ部１０１とホルダ部１０２とをそれぞれ別に操作しなければならず、操作性の低下を招いていた。また、この第１従来構成の収納装置１００では、ホルダ部１０２の挿通孔１０５に挿入されるカップや缶等の受け部として別途、例えば、コンソールボックス１０３に形成された水平面等を必要とするため、取付けの自由度が小さいという問題もあった。
【００１２】
また、第２従来構成の収納装置１１０では、その受け部１１２に両空間１１９，１２０が受け部１１２の移動方向に沿って配列されている。このため、受け部１１２が前記矢印Ｂ方向に長くなり、格納部１１３、ひいては収納装置１１０の全体が同矢印Ｂ方向に長くなるという問題があった。
【００１３】
本発明は、このような従来の技術に存在する問題点に着目してなされたものである。その目的としては、格納状態から使用状態に切替える際の操作性を向上するとともに、格納状態での切替え方向の長さを短くすることが可能な収納装置を提供することにある。
【００１４】
【課題を解決するための手段】
以下、上記目的を達成するための手段及びその作用効果について記載する。
（１）請求項１に記載の発明は、スライド移動によって格納部内に格納された格納状態と、その格納部の外部に位置する使用状態とに配置される複数のトレイを重合した収納装置において、前記トレイの間には、隣り合う一方のトレイが所定量移動するまでは係合状態を維持するとともに、前記一方のトレイが所定量移動した後は、その係合が解除されて、隣り合う他方のトレイのみの移動を許容する係脱手段を設け、最上部トレイの上方に、飲み物用容器の周囲を保持する保持部を設け、前記最上部トレイを格納位置において解除可能にロックするための第１ロック手段と、最上部トレイのロック状態においてその下方に位置するトレイをロックするための第２ロック手段とを備え、前記第１ロック手段が最上部トレイと格納部との間に設けられ、第２ロック手段が前記保持部と最上部トレイの下方のトレイとの間に設けられ、保持部が上方に移動することにより、第２ロック手段によるロックが解除されることを要旨とするものである。
【００１５】
上記発明によれば、格納状態から使用状態に切替え配置する際、隣り合うトレイの一方が所定量移動するまでは、その隣り合うトレイは重合状態で移動する。そして、前記隣り合うトレイの一方が所定量移動した後は、隣り合うトレイの他方のみがさらに移動可能となっている。このように、格納状態から使用状態に切替え配置する際、隣り合うトレイが連動して移動するため、操作性が向上される。また、格納時には、各トレイが重合した状態で格納されるため、収納装置におけるトレイの移動方向における長さを短くすることが可能となる。また、トレイの使用時には、必要に応じて、複数のトレイのいくつかのみを移動させることが可能となり、利便性が向上される。
また、収納装置に、飲み物用容器を保持するカップホルダ機能を付加することができる。また、トレイを格納状態から使用状態に切替え配置する際、最上部トレイが最初に使用状態になるようにすれば、利用頻度の高いカップホルダ機能を容易に使用することができ、利便性が向上される。
また、第１のロック手段により最上部トレイがロックされた状態では、第２ロック手段によりその下方のトレイもロックされる。結果として、最上部トレイ及びその下方のトレイの双方がロックされるため、トレイの意図しない突出を抑制できる。
また、保持部の上方移動により、下方のトレイに対するロックが解除されるため、解除操作が不要であり、ロック解除における煩わしさを避けることができる。
【００１６】
（２）請求項２に記載の発明は、請求項１に記載の収納装置において、前記保持部は、最上部トレイの格納状態では最上部トレイ上に重合され、最上部トレイが格納状態から前記使用状態に切替え配置される際には、前記最上部トレイの移動に連動して、同最上部トレイの底面から所定距離だけ上方に離間するように移動することを要旨とするものである。
【００１７】
上記発明によれば、保持部の格納時には、同保持部が最上部トレイに重合された状態でコンパクトに収納される。また、保持部の使用時には、同保持部が最上部トレイの移動に連動して使用状態に切り替えられる。そして、飲み物用容器が、所定の間隔を有するトレイ部と保持部とにより安定した状態で保持される。
【００１８】
（３）請求項３に記載の発明は、請求項１または２に記載の収納装置において、第２ロック手段は、前記保持部に形成された係合突起を備え、その係合突起が最上部トレイの透孔を介して最上部トレイの下方のトレイの一部に係合することによりそのトレイがロックされることを要旨とするものである。
【００１９】
従って、保持部に係合突起を一体形成して、最上部トレイに透孔を、その下方のトレイに係合突起が係合される部分を形成すればよい。このため、部品点数が増えることがなく、構成は極めて簡単である。
【００２０】
（４）請求項４に記載の発明は、請求項１〜３のいずれか一項に記載の収納装置において、前記保持部における開口部の間隔を、同開口部に挿入された飲み物用容器の外径に応じて調節する間隔調節機構を設けたことを要旨とするものである。
【００２１】
上記発明によれば、外径または幅の異なる種々の飲み物用容器を、保持部により保持することが可能になる。このため、飲み物用容器の外径または幅の大小に関わらず、安定した状態でその飲み物用容器をより確実に保持することが可能となり、利便性がさらに向上される。
【００２８】
（５）請求項５に記載の発明は、請求項４に記載の収納装置において、前記間隔調節機構と対向するように設けられ、格納状態から使用状態に切替え配置される際には、前記最上部トレイの移動に連動して引き起こされるとともに、前記保持部と前記最上部トレイの底面との間に配置され、前記保持部により保持された飲み物用容器の外面に当接する補助支持部を備えることを要旨とするものである。
【００２９】
上記発明によれば、飲み物用容器の外周面が保持部と補助支持部とにより保持され、飲み物用容器がさらに安定した状態で支持される。
【００３０】
（６）請求項６に記載の発明は、請求項１〜５のいずれか一項に記載の収納装置において、前記トレイのうち、最下部に配設される最下部トレイは、格納状態で外部に表出する側面に、前記格納状態から前記使用状態に切替え配置される際に操作者の指または棒状体が引掛けられる引掛部を有し、前記保持部には、前記引掛部の少なくとも一部と対応する位置に凹部を有することを要旨とするものである。
【００３１】
上記発明によれば、操作者の指や棒状体を引掛部に対して容易に挿入することが可能になる。このため、各トレイを格納状態から使用状態に切替え配置する際の操作をより確実に行うことが可能となる。
【００３２】
（７）請求項７に記載の発明は、請求項６に記載の収納装置において、前記最下部トレイと異なるトレイには、前記引掛部と対応する位置に切欠部を有することを要旨とするものである。
【００３３】
上記発明によれば、トレイを格納状態から使用状態に切替え配置する際、引掛部に挿入された操作者の指や棒状体が最下部トレイ以外のトレイに引っ掛かることが抑制される。このため、各トレイの格納状態から使用状態への移動を、所定の移動量でもってより確実かつ容易に行うことが可能となる。
【００３４】
（８）請求項８に記載の発明は、請求項１〜７のいずれか一項に記載の収納装置において、前記格納状態では、前記トレイのうち、最上部に配設される最上部トレイまたは最下部に配設される最下部トレイの前壁面のみが外部に表出することを要旨とするものである。
【００３５】
上記発明によれば、格納部に格納されたトレイが、最上部トレイまたは最下部トレイの前側壁面により外部から視認されなくなる。このため、収納装置の意匠性が向上される。
【００３６】
（９）請求項９に記載の発明は、請求項１〜８のいずれか一項に記載の収納装置において、前記トレイの表出する部分を一旦格納部側へ押し込むことにより、そのトレイの格納状態を解除するプッシュオープン機構を備えることを要旨とするものである。
【００３７】
上記発明によれば、トレイを格納状態から使用状態に切替え配置する際における収納装置の操作性が向上される。
【００３８】
（１０）請求項１０に記載の発明は、請求項１〜９のいずれか一項に記載の収納装置において、前記係脱手段は、隣り合う各トレイの対向面上に対をなすように設けられ、凹凸嵌合により、前記隣り合うトレイを連動させる凹部と凸部とからなることを要旨とするものである。
【００３９】
上記発明によれば、簡単な構成で、トレイを格納状態から使用状態に切替え配置する際に、隣り合うトレイを連動させることが可能となる。また、隣り合うトレイの一方を所定量移動させた後に、僅かな力を加えることで、隣り合う他方のトレイを容易に移動させることが可能となる。
【００４０】
【発明の実施の形態】
以下に、本発明を、車両の後部座席用のアームレスト部に装着される収納装置に適用した一実施形態について、図１〜図１３を参照して説明する。
【００４１】
図１〜図６に示すように、この収納装置は、最上部トレイとしての上側トレイ２０と、その上側トレイ２０の下方に重合された最下部トレイとしての下側トレイ２１と、これら両トレイ２０，２１が格納される格納部２２とを備えている。そして、格納部２２が前記アームレスト部（図示略）内に取着されている。また、各トレイ２０，２１は、車両の後部座席に着座する操作者としての乗員等によって、図１中に示す矢印Ｃ及びその逆方向にスライド移動され、格納状態と使用状態とに切替え配置されるようになっている。
【００４２】
前記格納状態は、両トレイ２０，２１がともに格納部２２内に格納された状態（図２参照）である。また、前記使用状態は、以下の２つの状態がある。すなわち、１つは、両トレイ２０，２１が格納部２２の開口２２ａを介して車室内に移動され、上側トレイ２０の底面としてのプレート部２３が車室内から視認される状態（図３参照）である。この際、下側トレイ２１のプレート部２４は、上側トレイ２０に覆われている。そして、もう１つは、図３にて示した使用状態から下側トレイ２１のみがさらに車室内に移動され、両トレイ２０，２１の底面としてのプレート部２３，２４がともに車室内から視認される状態（図４参照）である。なお、ここでは、上側トレイ２０のプレート部２３のみが車室内から視認可能な状態を第１使用状態とし、両トレイ２０，２１のプレート部２３，２４がともに車室内から視認可能な状態を第２使用状態とする。
【００４３】
本実施形態では、図４に示すように、下側トレイ２１は、その先端側の端辺にプレート部２４から上方に向かって突出する下側前方側壁２５を有している。図２に示すように、同下側前方側壁２５は、前記格納状態で格納部２２の開口２２ａをほぼ塞ぐように形成されている。そして、格納状態では、下側前方側壁２５の前壁面２５ａのみが、外部としての車室内に表出し、格納部２２内の格納物が車室内からは視認されないようになっている。また、この下側トレイ２１の下側前方側壁２５は、前記格納状態から第１及び第２使用状態に切替え配置される際に、前記乗員の指が引掛けられる引掛部となっている。
【００４４】
また、下側トレイ２１は、その図１中の矢印Ｃの移動方向と平行をなす両端辺に側方側壁２６が形成されている。図６に示すように、側方側壁２６は、下側トレイ２１のプレート部２４から上方に向かって突出している。また、図１及び図４に示すように、側方側壁２６は、その前記矢印Ｃ方向側の端部が下側前方側壁２５に連続するように形成されている。
【００４５】
上側トレイ２０は、図６に示すように、その下側トレイ２１の側方側壁２６と対応する位置に、断面略逆Ｕ字形のガイド溝２７を有している。同ガイド溝２７には、その内面から側方に突出する突条２８が形成されている。一方、前記下側トレイ２１の側方側壁２６には、その突条２８と係合するように凹溝２９が形成されている。そして、それら突条２８と凹溝２９とが係合するように下側トレイ２１の側方側壁２６が、上側トレイ２０のガイド溝２７内に摺動可能に係入されている。
【００４６】
また、図２〜図４及び図６に示すように、上側トレイ２０は、その先端側の端辺にプレート部２３から上方に向かって突出する上側前方側壁３０を有している。同上側前方側壁３０には、前記下側トレイ２１の引掛部である下側前方側壁２５と対応するように切欠部３１が形成されている。
【００４７】
また、図２〜図４及び図６に示すように、上側トレイ２０の上方には、カップや缶などの飲み物用容器の周囲を保持する保持部４０が配置されている。図１に示すように、保持部４０は、前記飲み物用容器が挿入される２つの開口部４１と、下側トレイ２１の下側前方側壁２５の中央部と対応する位置に形成された凹部４０ａとを有している。凹部４０ａは、保持部４０の先端側、すなわち図１中の矢印Ｃの移動方向側の端部における開口部４１の間に形成されている。
【００４８】
この保持部４０は、前記格納状態では、上側トレイ２０のプレート部２３に接近して重合するようになっている（図２参照）。また、前記第１及び第２使用状態では、上側トレイ２０の移動に連動して、上側トレイ２０のプレート部２３から所定距離だけ離間すべく引き起こされるようになっている（図３、図４参照）。
【００４９】
図１〜図５に示すように、保持部４０は、２つの支持部により、上側トレイ２０に対して上下動可能に支持されている。この支持部の１つは、保持部４０の前記先端側の端部の近傍に接続される第１支持部４２である。第１支持部４２は、その一端４２ａ側が、係止ピン４３を介して保持部４０に対して回動可能に接続されている。また、第１支持部４２は、その他端４２ｂ側が二又状になっている。そして、第１支持部４２の他端４２ｂは、それぞれが上側トレイ２０における基端側の端辺、すなわち図１中の矢印Ｃ方向とは逆方向側の端辺近傍で係止ピン４４を介して上側トレイ２０に対して回動可能に接続されている。
【００５０】
もう１つの支持部は、保持部４０の基端側、すなわち図１中の矢印Ｃ方向とは逆方向側の端部の近傍に接続される第２支持部４５である。第２支持部４５は、その一端４５ａ側が二又状になっており、この二又部４６には、その前記上側トレイ２０のガイド溝２７（図６参照）と平行をなす側面に長穴状の開口を有するガイド穴４７が形成されている。ガイド穴４７には、係止ピン４８が挿通されており、その係止ピン４８は、ガイド穴４７の一端４７ａと他端４７ｂとの間を往復動する。前記保持部４０の基端側の端部は、係止ピン４８を介して第２支持部４５に接続されている。
【００５１】
また、第２支持部４５は、その他端４５ｂ側も二又状になっている。そして、第２支持部４５の他端４５ｂは、第１支持部４２の分岐部４２ｃ近傍で係止ピン４９を介して上側トレイ２０に対して回動可能に接続されている。なお、係止ピン４９には、弦巻ばね（図示略）が巻回されており、この弦巻ばねの付勢力によって、第２支持部４５が上側トレイ２０に対して常に起立する方向に付勢されている。
【００５２】
また、図２〜図５に示すように、第２支持部４５には、その他端４５ｂ近傍に、外方に向かって突出する突出部５０が形成されている。同突出部５０は、前記第１及び第２使用状態では、第１支持部４２の分岐部４２ｃに当接して、第１支持部４２の一端４２ａを所定距離だけ上側トレイ２０から離間させるべく、同第１支持部４２を持ち上げる役割を担っている（図３、図４参照）。一方、突出部５０は、前記格納状態では、第１支持部４２の分岐部４２ｃには当接しないようになっており、第１支持部４２は持ち上げられることなく、その一端４２ａが上側トレイ２０に接近した状態となる（図２参照）。つまり、この格納状態では、保持部４０が上側トレイ２０にほぼ重合した状態となる。
【００５３】
図１に示すように、保持部４０には、前記開口部４１内に挿入された飲み物用容器の外径に応じて開口部４１の内周面の間隔を調節する間隔調節機構６０が設けられている。本実施形態では、間隔調節機構６０は、開口部４１の内周面からの突出量が異なる２つの保持片、すなわち、突出量の小さい外周側保持片６１と、突出量の大きい中心側保持片６２とを備えている。
【００５４】
図１０に示すように、外周側保持片６１と中心側保持片６２とは、保持部４０の前記先端側で固定された係止ピン６３を介して、それぞれ独立して回動可能にかつ重合するように支持されている。そして、各保持片６１，６２は、保持部４０とほぼ平行な状態をなす基準位置と、保持部４０とほぼ直角な状態をなす折曲位置との間で回動されるようになっている。なお、各保持片６１，６２は、係止ピン６３に巻回された弦巻ばね（図示略）の付勢力によって、それぞれ前記基準位置に配置される方向に常に付勢されている。
【００５５】
また、前記第１支持部４２の分岐部４２ｃには、保持部４０の開口部４１内に挿入された飲み物用容器の外面に当接して、その飲み物用容器を補助的に支持する補助支持部５１が一体的に形成されている。図１に示すように、補助支持部５１は、分岐部４２ｃの一部が間隔調節機構６０と対向するよう上側トレイ２０の両ガイド溝２７に向かう方向に延設されることで形成されている。そして、補助支持部５１は、前記格納状態から第１及び第２使用状態に切替え配置される際に上側トレイ２０の移動に連動して引き起こされ、保持部４０と上側トレイ２０のプレート部２３との間に位置するようになっている。
【００５６】
また、図２〜図５に示すように、上側トレイ２０と格納部２２とには、前記格納状態で下側トレイ２１の下側前方側壁２５の前壁面２５ａを一旦格納部２２側、すなわち図２中の矢印Ｄへ押し込むことにより、前記格納状態を解除するプッシュオープン機構７０が配設されている。このプッシュオープン機構７０は第１ロック手段を構成している。そして、プッシュオープン機構７０は、上側トレイ２０の基端部２０ａから突出形成された突出片２０ｂにねじ７１を介して揺動可能に取着された係止部７２と、格納部２２内にハート形のカム面を有するように形成されて、格納状態で係止部７２と係合する係止部通路７３とを備えている。
【００５７】
また、プッシュオープン機構７０は、前記格納状態で上側トレイ２０を前記第１使用状態に切替え配置させる方向に付勢するばね７４を備えている。すなわち、このばね７４は、格納状態で上側トレイ２０の突出片２０ｂに折曲形成された折曲片２０ｃに圧縮状態で当接して、上側トレイ２０を図２中の矢印Ｄ方向とは逆方向に付勢している。また、ばね７４は、前記第１及び第２使用状態では、前記上側トレイ２０の折曲片２０ｃには当接せず、格納部２２の基端部２２ｂの内面から開口２２ａに向かって突出するばね保持部７５により、格納部２２から離脱しないように保持されている。
【００５８】
図１及び図７に示すように、格納部２２の側壁２２ｃには、ガイド孔８０が形成されている。同ガイド孔８０は、格納部２２の開口２２ａから基端部２２ｂに向かう方向（図７中の矢印Ｅの方向）に延びる長穴となっている。なお、図７では、格納部２２の開口２２ａ近傍のみを示している。また、ガイド孔８０には、挿通部材８１が挿通されており、同挿通部材８１は、上側トレイ２０のガイド溝２７を構成する側壁２７ａにねじ８２を介して固定されている。ここで、ガイド孔８０は、前記矢印Ｅ方向の長さが、上側トレイ２０における前記格納状態から第１使用状態に、及び、第１使用状態から格納状態に切替え配置される際の移動量にほぼ対応している。また、上側トレイ２０は、前記格納状態から第１使用状態に切替え配置される際、挿通部材８１がガイド孔８０の先端側端部８０ａと当接することで、その移動が規制される。
【００５９】
また、図１及び図７に示すように、格納部２２の側壁２２ｃと上側トレイ２０の側壁２７ａとの間には、上側トレイ２０を移動させる際に所定の摺動抵抗を付与する摺動抵抗付与部８３が設けられている。同摺動抵抗付与部８３は、格納部２２の側壁２２ｃから上側トレイ２０の側壁２７ａに向かって膨出するように湾曲された板ばね８４と、同板ばね８４を格納部２２の側壁２２ｃに固定するためのクリップ８５とを備えている。
【００６０】
また、クリップ８５は、板ばね８４の外面の一部を覆う覆い部８５ａを有しており、この覆い部８５ａが上側トレイ２０の側壁２７ａに所定の押圧力をもって摺接している。また、上側トレイ２０の側壁２７ａの外面には、前記第１使用状態におけるクリップ８５の覆い部８５ａの摺接位置に対応するように窪み部８６が形成されている。この上側トレイ２０の窪み部８６と格納部２２に固定されたクリップ８５との係合により、上側トレイ２０が第１使用状態に保持されるようになっている。その一方で、上側トレイ２０を第１使用状態から格納状態に切替え配置すべく、格納部２２側に移動されると、前記板ばね８４が弾性変形され、窪み部８６とクリップ８５との係合が解除される。
【００６１】
また、図１及び図８に示すように、上側トレイ２０のプレート部２３と下側トレイ２１のプレート部２４との間には、係脱手段としての凹凸嵌合部８７が形成されている。凹凸嵌合部８７は、下側トレイ２１のプレート部２４の上面に設けられる凸部８８と、前記格納状態及び第１使用状態で、前記凸部８８と対応するように上側トレイ２０のプレート部２３の下面に形成される凹部８９とから構成されている。
【００６２】
凸部８８は、下側トレイ２１のプレート部２４から上側トレイ２０に向かって膨出するように湾曲された板ばね８８ａと、同板ばね８８ａを下側トレイ２１のプレート部２４に固定するためのクリップ８８ｂとを備えている。また、クリップ８８ｂは、板ばね８８ａの外面の一部を覆う覆い部８８ｃを有しており、この覆い部８８ｃが上側トレイ２０のプレート部２３の下面及び凹部８９に所定の押圧力をもって摺接している。ここで、凸部８８と凹部８９とは、前記格納状態から第１使用状態に切替え配置される間、または第１使用状態から格納状態に切替え配置される間は、それらの嵌合した状態、すなわち係合状態が維持される。また、前記挿通部材８１と格納部２２のガイド孔８０の先端側端部８０ａとが当接した第１使用状態から凸部８８と凹部８９との嵌合力に抗して下側トレイ２１がさらに図８の矢印Ｆの方向移動され、第２使用状態に切替え配置される。この際に、前記板ばね８８ａが弾性変形され、それら凸部８８と凹部８９との嵌合が解除される。なお、嵌合力とは、凸部８８と凹部８９との引っ掛かりによる抵抗と、クリップ８８ｂの覆い部８８ｃと凹部８９の表面との摩擦抵抗によって決まる。
【００６３】
また、図１及び図９に示すように、上側トレイ２０の前記先端側端部におけるガイド溝２７の近傍には、プレート部２３のねじ穴９０に螺入されて、その頭部がプレート部２３の下面から下方に突出するストッパねじ９１が設けられている。また、下側トレイ２１のプレート部２４には、前記第２使用状態でストッパねじ９１の前記頭部と当接する当接部９２が設けられている。下側トレ
イ２１は、前記第１使用状態から第２使用状態に切替え配置される際、下側トレイ２１の当接部９２が上側トレイ２０のストッパねじ９１と当接することで、格納部２２から離間する方向への移動が規制される。
【００６４】
前記第１支持部４２に下面には、下方へ向かって突出する係合突起１３１が一体形成されている。その係合突起１３１と対応するように、上側トレイ２０のプレート部２３には、係合孔としての透孔１３２が形成され、さらに、その透孔１３２と対応するように、下側トレイ２１のプレート部２４には、同じく係合孔としての透孔１３３が形成されている。そして、図２に示すように、第１支持部４２が下方の倒伏状態に配置されたときには、係合突起１３１が透孔１３２を介して透孔１３３内に進入して、透孔１３３の内縁と係合し、この係合によって下側トレイ２１がロックされる。また、このロック状態から第１支持部４２が起立したときには、係合突起１３１が透孔１３２，１３３から抜け出て、下側トレイ２１のロックが解除される。この実施形態においては、前記係合突起１３１及び透孔１３３により第２ロック手段が構成されている。
【００６５】
さて、図２は、上側トレイ２０及び下側トレイ２１の格納状態を示している。この状態では、プッシュオープン機構７０により上側トレイ２０がロックされている。また、この状態では、第１支持部４２が倒伏位置にあって、係合突起１３１が透孔１３２を介して下側トレイ２１のプレート部２４の透孔１３３に進入している。このため、この下側プレート部２４も移動不能にロックされている。
【００６６】
図２に示した格納状態から第１使用状態に切替え配置する際には、下側トレイ２１の下側前方側壁２５の前壁面２５ａを、図２中の矢印Ｄ方向に押圧する。すると、両トレイ２０，２１が同方向に移動し、プッシュオープン機構７０の係止部７２と係止部通路７３との係合が解除される。その後、前壁面２５ａに対する押圧を解除すると、両トレイ２０，２１は、図５に示すように、ばね７４の付勢力によって矢印Ｄ方向とは逆方向に所定量移動する。これにより、両トレイ２０，２１及び保持部４０は、それらの先端側端部及びその近傍が格納部２２の開口２２ａを介して車室内に表出する。
【００６７】
次に、この状態から第１使用状態に切替え配置する際には、車室内に表出した保持部４０の凹部４０ａ内に操作者の指を挿入するとともに、挿入した指を下側トレイ２１の下側前方側壁２５に引掛けて、下側トレイ２１を図５中の矢印Ｇ方向に移動させる。
【００６８】
すると、両トレイ２０，２１及び保持部４０は、それらの先端側端部から徐々に車室内に表出し、上側トレイ２０の移動に連動して、第２支持部４５が上側トレイ２０のプレート部２３に対して徐々に起立する。そして、第２支持部４５の起立により、前記係止ピン４８が第２支持部４５のガイド穴４７内を他端４７ｂから一端４７ａに向かって変位する。同時に、第２支持部４５の起立により、第２支持部４５の突出部５０と第１支持部４２の分岐部４２ｃとが当接し、第１支持部４２の一端４２ａが上側トレイ２０のプレート部２３から徐々に離間する。こうして、保持部４０が上側トレイ２０のプレート部２３から徐々に離間する。そして、上側トレイ２０に固定された挿通部材８１が格納部２２のガイド孔８０の先端側端部８０ａと当接する（図７参照）と、図３に示した第１使用状態に切替え配置される。
【００６９】
ここで、前記凹凸嵌合部８７における上側トレイ２０の凹部８９と下側トレイ２１の凸部８８との嵌合力は、摺動抵抗付与部８３により付与される上側トレイ２０の格納部２２に対する摺動抵抗により生じる上側トレイ２０が静止しようとする力に十分に打ち克つように設定されている。これにより、格納状態から第１使用状態になる間は、前記凹凸嵌合部８７の嵌合状態が維持されているため、上側トレイ２０と下側トレイ２１とは重合された状態で共に移動する。
【００７０】
一方、第１支持部４２の起立により、その係合突起１３１が前記透孔１３２，１３３から抜け出て、下側トレイ２１に対するロックが解除される。
次に、第１使用状態から第２使用状態に切替え配置する際には、操作者の指を下側トレイ２１の下側前方側壁２５に引掛けて、下側トレイ２１を図３中の矢印Ｈ方向に移動させる。すると、上側トレイ２０は、挿通部材８１と格納部２２のガイド孔８０の先端側端部８０ａとの当接により、それ以上の移動が規制されているため、前記凹凸嵌合部８７の嵌合が解除されて、下側トレイ２１のみがさらに移動される。そして、下側トレイ２１のプレート部２４が徐々に車室内に表出する。そして、下側トレイ２１の当接部９２が上側トレイ２０に固定されたストッパねじ９１に当接する（図９参照）と、図４に示した第２使用状態に切替え配置される。
【００７１】
次に、第２使用状態から格納状態に切替え配置する際には、下側トレイ２１の下側前方側壁２５を、格納部２２に向かう方向、すなわち図４中の矢印Ｉ方向に移動させる。これにより、下側トレイ２１の下側前方側壁２５と上側トレイ２０の上側前方側壁３０とが接近して第１使用状態となる。この際、凹凸嵌合部８７は、下側トレイ２１の凸部８８が上側トレイ２０の凹部８９に嵌合して嵌合状態となる。そして、下側トレイ２１の下側前方側壁２５をさらに矢印Ｉ方向に移動させると、第２支持部４５が格納部２２の開口２２ａによって上側トレイ２０のプレート部２３側に傾倒される。この第２支持部４５の傾倒にともなって、その第２支持部４５の突出部５０と第１支持部４２との当接が解除され、第１支持部４２も、その一端４２ａがプレート部２３に接近するように回動される。これにより、保持部４０が上側トレイ２０とほぼ重合した状態となる。そして、両トレイ２０，２１が重合された状態で格納部２２内に格納される。最後に、ばね７４の付勢力に抗して、下側トレイ２１の下側前方側壁２５を、格納部２２の開口２２ａ内に若干入り込むように押圧して、プッシュオープン機構７０の係止部７２と係止部通路７３とを係合させ、各トレイ２０，２１を格納状態に切替え配置する。
【００７２】
次に、保持部４０の間隔調節機構６０及び補助支持部５１の動作について説明する。図１０に示すように、第１または第２使用状態にある保持部４０の開口部４１に飲み物用容器として、例えば２５０ｍｌ缶９５が挿入されると、各保持片６１，６２は共に前記基準位置のままで、折曲位置に向かって回動はしない。そして、開口部４１に挿入された缶９５は、開口部４１の内周面と、基準位置にある中心側保持片６２の先端部と、補助支持部５１とにより保持された状態となる。
【００７３】
また、図１１に示すように、保持部４０の開口部４１に飲み物用容器として、例えば３５０ｍｌ缶９６が挿入されると、中心側保持片６２が基準位置から折曲位置に向かって所定角度だけ回動し、その先端部が缶９６の外面に当接する。一方、外周側保持片６１は、基準位置のままで、折曲位置に向かって回動はしない。そして、開口部４１に挿入された缶９６は、開口部４１の内周面と、所定角度だけ回動した中心側保持片６２の先端部と、補助支持部５１とにより保持された状態となる。
【００７４】
また、図１２に示すように、保持部４０の開口部４１に、飲み物用容器として例えば、米国McDonald's Corporationで用いられるＬサイズカップ９７が挿入されると、両保持片６１，６２は、それぞれ基準位置から折曲位置に向かって所定角度だけ回動する。そして、開口部４１に挿入されたカップ９７は、開口部４１の周縁と、それぞれ所定角度だけ回動した両保持片６１，６２の先端部とにより保持された状態となる。
【００７５】
また、図１３に示すように、保持部４０の開口部４１に飲み物用容器として、例えばコカ・コーラ社製の「Diet Coca-Cola」や「コカ・コーラ」の５００ｍｌペットボトルのような全周にわたりくびれ部を有するようなペットボトル９８が挿入されると、外周側保持片６１は基準位置のままである。そして、中心側保持片６２が基準位置から折曲位置に向かって所定角度だけ回動し、その先端部がペットボトル９８の膨らみ部９８ａの頂部よりも下方の外面に当接する。そして、開口部４１に挿入されたペットボトル９８は、開口部４１の内周面と、所定角度だけ回動した中心側保持片６２の先端部と、補助支持部５１とにより保持された状態となる。
【００７６】
従って、本実施形態によれば、以下のような効果を得ることができる。
（１）本実施形態では、上側トレイ２０と下側トレイ２１との間に、凸部８８（板ばね８８ａ、クリップ８８ｂ）と凹部８９とからなる凹凸嵌合部８７を設けた。これにより、格納状態から第１使用状態に切替え配置する際、両トレイ２０，２１が連動して移動する。このため、格納状態から第１使用状態に切替え配置する際の操作性を向上することができる。また、格納時には、各トレイ２０，２１が重合した状態で格納されるため、収納装置におけるトレイ２０，２１の移動方向における長さを短くすることができる。また、必要に応じて、第１使用状態と第２使用状態とを使い分けることができ、収納装置の利便性を向上することができる。
【００７７】
また、凹凸嵌合部８７を凸部８８と凹部８９とから構成したため、簡単な構成でトレイ２０，２１を連動させることができる。また、凸部８８と凹部８９との嵌合には、板ばね８８ａの弾性力を利用している。このため、第１使用状態から第２使用状態に切替え配置する際、上側トレイ２０のそれ以上の移動が規制された状態では、僅かな力を加えることで、下側トレイ２１のみを容易に移動させることができる。
【００７８】
（２）本実施形態では、保持部４０を、上側トレイ２０の上方に設けた。このため、飲み物用容器を保持するカップホルダ機能を収納装置に付加することができる。また、両トレイ２０，２１を引き出したとき、上側トレイ２０は、最初に使用状態となるため、利用頻度の高いカップホルダ機能を容易に使用することができ、収納装置の利便性を向上することができる。
【００７９】
（３）本実施形態では、保持部４０に、開口部４１の内周面の間隔を調整する間隔調節機構６０を設けた。これにより、外径または幅の異なる種々の飲み物用容器を保持部４０により保持することができる。このため、飲み物用容器の外径または幅の大小に関わらず、安定した状態でその飲み物用容器をより確実に保持することができ、収納装置の利便性をさらに向上することができる。
【００８０】
（４）本実施形態では、保持部４０を、第１支持部４２と第２支持部４５とを用い、格納状態では上側トレイ２０のプレート部２３と重合するように配置した。そして、第１及び第２使用状態では、保持部４０を、上側トレイ２０のプレート部２３から所定距離だけ離間するように配置した。このため、保持部４０の格納時には、同保持部４０を格納部２２内にコンパクトに収納することができる。また、保持部４０の使用時には、同保持部４０によって、飲み物用容器を安定した状態で保持することができる。
【００８１】
（５）本実施形態では、保持部４０の開口部４１内に挿入された飲み物用容器を補助的に保持する補助支持部５１を設けた。このため、飲み物用容器の外周面が保持部４０と補助支持部５１とにより保持され、飲み物用容器をさらに安定した状態で支持することができる。
【００８２】
（６）本実施形態では、下側トレイ２１に下側前方側壁２５を設け、保持部４０に凹部４０ａを設けた。これにより、操作者の指を下側トレイ２１の下側前方側壁２５に対して容易に挿入することができる。このため、各トレイ２０，２１を格納状態から第１使用状態に切替え配置する際の操作をより確実に行うことができる。
【００８３】
（７）本実施形態では、上側トレイ２０の上側前方側壁３０に切欠部３１を設けた。これにより、トレイ２０，２１を格納状態から第１使用状態に切替え配置する際、下側トレイ２１の下側前方側壁２５に挿入された操作者の指が上側トレイ２０に引っ掛かることを抑制することができる。このため、各トレイ２０，２１の格納状態から第１使用状態への移動を、所定の移動量でもってより確実かつ容易に行うことができる。
【００８４】
（８）本実施形態では、下側トレイ２１の下側前方側壁２５を、格納状態で、格納部２２の開口２２ａのほぼ全体を覆うように形成して、下側前方側壁２５の前壁面２５ａのみを車室内から視認されるようにした。これにより、格納状態では、格納部２２の内部が、下側トレイ２１の下側前方側壁２５の前壁面２５ａにより車室内から視認されなくなる。このため、収納装置の意匠性を向上することができる。
【００８５】
（９）本実施形態では、プッシュオープン機構７０を設けた。このため、トレイ２０，２１を格納状態から第１使用状態に切替え配置する際における収納装置の操作性を向上することができる。
【００８６】
（１０）本実施形態では、下側トレイ２１の周縁に、プレート部２４から上方に向かって突出する下側前方側壁２５と側方側壁２６とを設けた。このため、車両走行時の振動、回転等により、下側トレイ２１のプレート部２４上に載置される載置物が不用意に落下することが抑制される。
【００８７】
（１１）本実施形態では、補助支持部５１を第１支持部４２の分岐部４２ｃに対して一体的に設けた。このため、収納装置を構成する部品の点数が増大することを抑制することができる。
【００８８】
（１２）本実施形態では、凹凸嵌合部８７における上側トレイ２０の凹部８９と下側トレイ２１の凸部８８との嵌合力を、摺動抵抗付与部８３により付与される上側トレイ２０の格納部２２に対する摺動抵抗により生じる上側トレイ２０が静止しようとする力に十分に打ち克つよう設定した。このため、トレイ２０，２１を格納状態から第１使用状態に切替え配置する際、下側トレイ２１の移動に連動して、上側トレイ２０を確実に移動させることができる。
【００８９】
（１３）本実施形態では、上側トレイ２０が格納状態でロックされているときには、下側トレイ２１もロックされる。従って、両トレイ２０，２１の双方が格納状態でロックされるため、両トレイ２０，２１の意図しない突出を抑制でき、両トレイ２０，２１を確実に使用，不使用状態に維持することができ、メリハリのある使い方が可能になる。しかも、第１支持部４２の上方移動により、下側トレイ２１に対するロックが解除されるため、解除操作が不要であり、ロック解除における煩わしさを避けることができる。加えて、以上の機能を達成するための構成として、係合突起１３１を第１支持部４２に一体形成し、透孔１３２，１３３をそれぞれ上側トレイ２０及び下側トレイ２１にそれぞれ形成しただけである。このため、部品点数が多くなることがなく、構成が簡単である。
【００９０】
（変形例）
なお、本発明の実施形態は、以下のように変形してもよい。
・前記実施形態では、凸部８８を下側トレイ２１のプレート部２４の上面に設け、凹部８９を上側トレイ２０のプレート部２３の下面に設ける構成とした。しかし、凸部８８を上側トレイ２０のプレート部２３の下面に設け、凹部８９を下側トレイ２１のプレート部２４の上面に設ける構成としてもよい。
【００９１】
・また、前記実施形態において、例えば上側トレイ２０のプレート部２３の周縁に下がり壁を設けるとともに、下側トレイ２１の周縁のみにプレート部２４の前記下がり壁に係合するような側壁を形成する構成としてもよい。
【００９２】
・また、前記実施形態では、凹凸嵌合部８７の凸部８８を、板ばね８８ａとクリップ８８ｂと覆い部８８ｃとから構成した。しかし、凸部８８を、下側トレイ２１のプレート部２４を上方に膨出させることにより形成する構成としてもよい。
【００９３】
・また、前記実施形態では、トレイ２０，２１を切替え配置する際、操作者の指を下側トレイ２１の下側前方側壁２５に引掛けるようにしたが、棒状体を下側前方側壁２５に引掛けるようにしてもよい。
【００９４】
・また、前記実施形態において、プッシュオープン機構７０を省略した構成としてもよい。なお、このようにした場合には、格納状態で、トレイ２０，２１における外部に表出する部分に、両トレイ２０，２１を使用状態に切替え配置するための引掛部やつまみ等が配設される。
【００９５】
・また、前記実施形態では、下側トレイ２１に前壁面２５ａを設ける構成とした。しかし、例えば、第１使用状態から第２使用状態に切替え配置する際、上側トレイ２０のみが移動する場合等には、前壁面を上側トレイ２０に設ける構成としてもよい。
【００９６】
・また、前記実施形態では、格納状態において、下側トレイ２１の下側前方側壁２５の前壁面２５ａのみが格納部２２の開口２２ａを介して車室内に表出する構成とした。しかし、格納状態において、下側トレイ２１の下側前方側壁２５の前壁面２５ａ以外にも、上側トレイ２０等の格納物が車室内に表出する構成としてもよい。
【００９７】
・また、前記実施形態では、上側トレイ２０の上側前方側壁３０に切欠部３１を設ける構成とした。しかし、例えば、上側トレイ２０の上側前方側壁３０の高さが下側トレイ２１の下側前方側壁２５よりも低い場合等には、切欠部３１を省略した構成としてもよい。
【００９８】
・また、前記実施形態において、保持部４０の凹部４０ａを省略した構成としてもよい。
・また、前記実施形態において、補助支持部５１を第１支持部４２とは別に設ける構成としてもよい。また、同補助支持部５１を省略した構成としてもよい。
【００９９】
・また、前記実施形態において、間隔調節機構６０の保持片の数や開口部４１に対する突出量等の配設態様は任意に設定可能である。また、間隔調節機構６０を省略した構成としてもよい。
【０１００】
・また、前記実施形態では、図１に示すように、保持部４０は、その左右方向の一部が切除された構成とした。しかし、保持部４０は、各開口部４１の全周縁が連続する構成としてもよい。また、保持部４０は、例えば、その左右方向の一部が開口部４１の中心側に回動可能に設けられる構成としてもよい。
【０１０１】
・また、前記実施形態では、保持部４０を、格納状態では上側トレイ２０と重合するように、また、第１及び第２使用状態では、上側トレイ２０のプレート部２３から所定距離だけ離間するように設けた。しかし、保持部４０を上側トレイ２０のプレート部２３から常に一定距離だけ離間するように設ける構成としてもよい。また、保持部４０を省略した構成としてもよい。
【０１０２】
・また、前記実施形態では、２つのトレイ２０，２１を備える収納装置の例を示したが、トレイの数は２つには限定されない。このトレイを、例えば３つ、４つ等、複数備える収納装置であってもよい。
【０１０３】
・また、前記実施形態では、収納装置を、車両の後部座席用のアームレスト部に装着する例を示したが、収納装置が装着される部位は、後部座席用のアームレスト部には限定されない。同収納装置を、例えば、車両のセンターコンソールボックスやインストルメントパネル等に装着する構成としてもよい。
【０１０４】
また、収納装置を車両に装着する構成としたが、収納装置は、車両に装着されることには限定されない。同収納装置を、例えば、航空機、船舶、家具等に装着する構成としてもよい。
【０１０５】
その他、前記実施形態、並びに以上の記載から把握できる技術的思想について、それらの効果とともに以下に記載する。
（イ）前記トレイは、前記使用状態で、その周縁に上方に向かって突出する側壁を有することを特徴とする請求項１〜請求項１０のうちいずれか一項に記載の収納装置。
【０１０６】
従って、この（イ）に記載の発明によれば、車両走行時の振動、回転等により、そのトレイ上に載置される載置物が不用意に落下することが抑制されるという効果が得られる。
【０１０７】
（ロ）前記補助支持部は、前記最上部トレイの移動に連動して前記保持部を前記最上部トレイの底面から所定距離だけ離間させる支持部に一体的に設けられることを特徴とする請求項５に記載の収納装置。
【０１０８】
従って、この（ロ）に記載の発明によれば、収納装置を構成する部品の点数が増大することを抑制することができるという効果が得られる。
（ハ）前記凹凸嵌合の嵌合力は、前記隣り合うトレイの一方に作用して、前記格納部または隣り合う一対のトレイとは異なる他のトレイに対して静止しようとする力に打ち克つように設定されていることを特徴とする請求項１０に記載の収納装置。
【０１０９】
従って、この（ハ）に記載の発明によれば、隣り合う一対のトレイを格納状態から使用状態に切替え配置する際、隣り合う他方のトレイの移動に連動して、隣り合う一方のトレイを確実に移動させることができるという効果が得られる。
【０１１０】
【発明の効果】
以上詳述したように、本発明によれば、格納状態から使用状態に切替える際の操作性を向上するとともに、格納状態での切替え方向の長さを短くすることが可能になり、しかも、トレイの意図しない突出移動を抑制できる等の効果を奏する。
【図面の簡単な説明】
【図１】一実施形態の収納装置の第２使用状態を示す平面図。
【図２】図１の４―４線での断面に相当する収納装置の格納状態を示す断面図。
【図３】図１の４―４線での断面に相当する収納装置の第１使用状態を示す断面図。
【図４】収納装置の第２使用状態を示す図１の４―４線断面図。
【図５】収納装置のプッシュオープン機構を解除した状態を示す断面図。
【図６】図１の６―６線断面図。
【図７】挿通部材、摺動抵抗付与部及びそれらの近傍を示す断面図。
【図８】凹凸嵌合部及びその近傍を示す断面図。
【図９】ストッパねじ及びその近傍を示す断面図。
【図１０】中心側保持片と外周側保持片との回動状態に関する説明図。
【図１１】中心側保持片と外周側保持片との回動状態に関する説明図。
【図１２】中心側保持片と外周側保持片との回動状態に関する説明図。
【図１３】中心側保持片と外周側保持片との回動状態に関する説明図。
【図１４】第１従来構成の収納装置の平面図。
【図１５】第２従来構成の収納装置の断面図。
【符号の説明】
２０…最上部トレイとしての上側トレイ、２１…最下部トレイとしての下側トレイ、２２…格納部、２３…底面としてのプレート部、２５…引掛部としての下側前方側壁、２５ａ…前壁面、３１…切欠部、４０…保持部、４１…開口部、５１…補助支持部、６０…間隔調節機構、７０…プッシュオープン機構、８７…係脱手段としての凹凸嵌合部、８８…凸部、８９…凹部、９５…飲み物用容器としての２５０ｍｌ缶、９６…飲み物用容器としての３５０ｍｌ缶、９７…飲み物用容器としてのＬサイズカップ、９８…飲み物用容器としての５００ｍｌペットボトル、１３１…係合突起、１３２…透孔、１３３…透孔。
【図１】
0004003525.tif 000002
【図２】
0004003525.tif 000003
【図３】
0004003525.tif 000004
【図４】
0004003525.tif 000005
【図５】
0004003525.tif 000006
【図６】
0004003525.tif 000007
【図７】
0004003525.tif 000008
【図８】
0004003525.tif 000009
【図９】
0004003525.tif 000010
【図１０】
0004003525.tif 000011
【図１１】
0004003525.tif 000012
【図１２】
0004003525.tif 000013
【図１３】
0004003525.tif 000014
【図１４】
0004003525.tif 000015
【図１５】
0004003525.tif 000016